(57)【要約】 冷蔵庫の内部に穀物を便利に保管するとともに、保管された穀物を便利に引き出すことで、使用者の便宜性を提供し、穀物の新鮮度を長期間の間維持させる冷蔵庫用穀物保管装置を提供する。穀物が保管され、その一側に投入口が形成される穀物保管箱と、前記穀物保管箱の投入口を開閉する開閉部材と、前記開閉部材の一側に設けられ、貯蔵品を積載して保管するための収納空間が形成された収納棚とを含んで冷蔵庫用穀物保管装置を構成する。
2010500530.tif 000002
【特許請求の範囲】
【請求項１】
穀物が保管され、その一側に投入口が形成される穀物保管箱と、
前記穀物保管箱の投入口を開閉する開閉部材と、
前記開閉部材の一側に設けられ、貯蔵品を積載して保管するための収納空間が形成された収納棚と、を含むことを特徴とする冷蔵庫用穀物保管装置。
【請求項２】
前記開閉部材が開放された場合、その開放位置から離脱せずに開放状態を維持するために前記開閉部材と接触し、前記開閉部材を固定させる開閉部材固定部をさらに含むことを特徴とする請求項１に記載の冷蔵庫用穀物保管装置。
【請求項３】
前記開閉部材は、前記投入口を覆うプレート部と、
前記プレート部の両側面に形成されるヒンジ軸と、を含み、
前記投入口の両側面には、前記ヒンジ軸が回動可能に挿入される回動溝が形成されることを特徴とする請求項１に記載の冷蔵庫用穀物保管装置。
【請求項４】
前記開閉部材は、前記穀物保管箱の投入口の前方に回動可能に設けられ、前記穀物保管箱の投入口の前方を開閉するように設けられ、
前記開閉部材固定部は、前記開閉部材に設けられた第１磁性体と、前記収納棚の前面部分のうち前記第１磁性体に対応する位置に設けられる第２磁性体と、を含むことを特徴とする請求項１に記載の冷蔵庫用穀物保管装置。
【請求項５】
前記開閉部材は、前記穀物保管箱の投入口の前方に回動可能に設けられ、前記穀物保管箱の投入口の前方を開閉するように設けられ、
前記開閉部材固定部は、前記収納棚の前面部分に形成された固定フックと、前記開閉部材の上面部分のうち前記固定フックに対応する位置に設けられ、前記開閉部材の開放時、前記固定フックが挿入されて係止される係止部と、を含むことを特徴とする請求項１に記載の冷蔵庫用穀物保管装置。
【請求項６】
前記開閉部材は、前記投入口の上面にスライド移動可能に設けられ、スライド移動しながら前記穀物保管箱の投入口を開閉することを特徴とする請求項１に記載の冷蔵庫用穀物保管装置。
【請求項７】
前記開閉部材は、前記投入口に設置され、その内部に前記投入口と連通される連通口及び案内レールが設けられた下部カバーと、
前記下部カバーの案内レールに結合されてスライド移動し、前記連通口及び前記投入口を選択的に開閉する移動プレートと、
前記移動プレートの上部に設けられ、前記移動プレートを覆う上部カバーと、を含むことを特徴とする請求項５に記載の冷蔵庫用穀物保管装置。
【請求項８】
前記移動プレートに設けられる操作ノブと、
前記上部カバーに設けられ、前記操作ノブの移動範囲を形成する貫通孔と、をさらに含み、
前記移動プレートが開放作用をする場合、前記貫通孔、前記連通口及び前記投入口が互いに連通されることを特徴とする請求項６に記載の冷蔵庫用穀物保管装置。
【請求項９】
前記収納棚は、上部が開放された一つ以上の貯蔵容器形態で設けられ、前記穀物保管箱と着脱可能に設けられ、
前記収納棚は、前記穀物保管部の上部に着脱可能に定着される第１収納棚と、
前記第１収納棚の開放部分に着脱可能に定着される第２収納棚と、を含むことを特徴とする請求項１に記載の冷蔵庫用穀物保管装置。
【請求項１０】
前記穀物保管箱に前記第１収納棚が設置されるように前記穀物保管箱の投入口の枠部に定着され、前記第１収納棚の枠に設けられる第１係止リブをさらに含むことを特徴とする請求項９に記載の冷蔵庫用穀物保管装置。
【請求項１１】
前記第２収納棚が第１収納棚に定着されて固定されるように、前記第２収納棚のうち前記第１収納棚に挿入される部分には段差が形成されることを特徴とする請求項９に記載の冷蔵庫用穀物保管装置。
【請求項１２】
前記穀物保管箱に結合され、前記穀物保管箱の内部を確認できるように内部が透視される透視部材をさらに含むことを特徴とする請求項１に記載の冷蔵庫用穀物保管装置。
【請求項１３】
前記穀物保管箱の前面に形成され、前記透視部材が挿入されて固定される前面開放部と、
前記透視部材に形成され、前記透視部材と前記前面開放部との結合部分に形成された結合隙間に穀物が挿入されることを防止するために前記結合隙間を覆うカバーリブと、をさらに含むことを特徴とする請求項１２に記載の冷蔵庫用穀物保管装置。
【請求項１４】
前記カバーリブは、前記透視部材の後面から後方に延長されている第１カバーリブと、前記第１カバーリブの端部から下方に一定長さだけ延長され、前記透視部材と前記穀物保管箱との結合時、前記結合隙間を覆うように設けられる第２カバーリブと、を含むことを特徴とする請求項１３に記載の冷蔵庫用穀物保管装置。
【請求項１５】
前記前面開放部に形成され、前記透視部材が挿入されて固定される挿入溝と、
前記透視部材の下面から下方に突出されて前記挿入溝に挿入される固定リブと、をさらに含むことを特徴とする請求項１３に記載の冷蔵庫用穀物保管装置。
【請求項１６】
前記固定リブに設けられ、互いに一定間隔だけ離隔するように設けられる複数個の固定突起と、
前記挿入溝の内部に設けられ、前記固定突起が挿入される固定突起と、をさらに含むことを特徴とする請求項１５に記載の冷蔵庫用穀物保管装置。
【請求項１７】
前記前面開放部の内部両側面に形成され、前記透視部材の挿入を案内する案内レールをさらに含むことを特徴とする請求項１６に記載の冷蔵庫用穀物保管装置。
【請求項１８】
前記穀物保管箱と前記透視部材との結合部分に設けられ、外部湿気の浸透を防止するシーリング部材をさらに含むことを特徴とする請求項１２に記載の冷蔵庫用穀物保管装置。
【発明の詳細な説明】
【技術分野】
【０００１】
本発明は、穀物の新鮮度を維持できるように穀物の冷蔵保管が可能な冷蔵庫用穀物保管装置に関するものである。
【背景技術】
【０００２】
従来の米、豆または小豆などの穀物の保管法としては、その穀物類を包装する包装容器を外部と遮断させて常温で保管したり、米びつなどの専用保管装置を用いて保管する方法が主流をなしていた。
【０００３】
しかしながら、上記のような装置及びその装置を用いた保管方法は、穀物を常温状態で保管するという限界があり、穀物を常温状態で保管する場合、冷蔵状態で保管する場合に比べて穀物の新鮮度が低下するようになる。
【０００４】
したがって、消費者は、穀物の新鮮度を維持するために、穀物をビニール袋や一般的な保管容器に入れて冷蔵庫に保管していたが、このような保管方法によると、消費者に不便さを与えるという問題点があった。
【発明の概要】
【発明が解決しようとする課題】
【０００５】
本発明は、上記のような問題点を解決するためのもので、その目的は、冷蔵庫の内部に穀物を便利に保管するとともに、保管された穀物を便利に引き出すことで、使用者の便宜性を提供し、穀物の新鮮度を長期間の間維持させることにある。
【０００６】
本発明の他の目的は、保管された穀物の状態を外部から容易に認識することで、使用者の満足度を高めることにある。
【０００７】
本発明の更に他の目的は、外部から衝撃が加えられる場合にも、その配置状態が継続的に維持される穀物保管装置を提供することにある。
【０００８】
本発明の更に他の目的は、穀物を冷蔵保管するとともに、その他の貯蔵品を収納する収納空間を追加的に確保することにある。
【課題を解決するための手段】
【０００９】
上記のような技術的課題を解決するための本発明は、穀物が保管され、その一側に投入口が形成される穀物保管箱と、前記穀物保管箱の投入口を開閉する開閉部材と、前記開閉部材の一側に設けられ、貯蔵品を積載して保管するための収納空間が形成された収納棚とを含むことを特徴とする冷蔵庫用穀物保管装置を備えた冷蔵庫を提供する。
【００１０】
また、本発明は、前記開閉部材が開放された場合、その開放位置から離脱せずに開放状態を維持するために前記開閉部材と接触し、前記開閉部材を固定させる開閉部材固定部をさらに含むことを特徴とする。
【００１１】
また、本発明において、前記開閉部材は、前記投入口を覆うプレート部と、前記プレート部の両側面に形成されるヒンジ軸とを含み、前記投入口の両側面には、前記ヒンジ軸が回動可能に挿入される回動溝が形成されることを特徴とする。  
【００１２】
また、前記開閉部材は、前記穀物保管箱の投入口の前方に回動可能に設けられ、前記穀物保管箱の投入口の前方を開閉するように設けられ、前記開閉部材固定部は、前記開閉部材に設けられた第１磁性体と、前記収納棚の前面部分のうち前記第１磁性体に対応する位置に設けられる第２磁性体とを含むことを特徴とする。
【００１３】
また、前記開閉部材は、前記穀物保管箱の投入口の前方に回動可能に設けられ、前記穀物保管箱の投入口の前方を開閉するように設けられ、前記開閉部材固定部は、前記収納棚の前面部分に形成された固定フックと、前記開閉部材の上面部分のうち前記固定フックに対応する位置に設けられ、前記開閉部材の開放時、前記固定フックが挿入されて係止される係止部とを含むことを特徴とする。
【００１４】
また、前記開閉部材は、前記投入口の上面にスライド移動可能に設けられ、スライド移動しながら前記穀物保管箱の投入口を開閉することを特徴とする。  
【００１５】
一方、前記開閉部材は、前記投入口に設置され、その内部に前記投入口と連通される連通口及び案内レールが設けられた下部カバーと、前記下部カバーの案内レールに結合されてスライド移動し、前記連通口及び前記投入口を選択的に開閉する移動プレートと、前記移動プレートの上部に設けられ、前記移動プレートを覆う上部カバーとを含むことを特徴とする。
【００１６】
また、前記移動プレートに設けられる操作ノブと、前記上部カバーに設けられ、前記操作ノブの移動範囲を形成する貫通孔とをさらに含み、前記移動プレートが開放作用をする場合、前記貫通孔、前記連通口及び前記投入口が互いに連通されることを特徴とする。  
【００１７】
また、前記収納棚は、上部が開放された一つ以上の貯蔵容器形態で設けられ、前記穀物保管箱と着脱可能に設けられ、前記収納棚は、前記穀物保管箱の上部に着脱可能に定着される第１収納棚と、前記第１収納棚の開放部分に着脱可能に定着される第２収納棚とを含むことを特徴とする。  
【００１８】
また、前記穀物保管箱に前記第１収納棚が設置されるように前記穀物保管箱の投入口の枠部に定着され、前記第１収納棚の枠に設けられる第１係止リブをさらに含むことを特徴とする。  
【００１９】
また、前記第２収納棚が第１収納棚に定着されて固定されるように、前記第２収納棚のうち前記第１収納棚に挿入される部分には段差が形成されることを特徴とする。  
【００２０】
また、前記穀物保管箱に結合され、前記穀物保管箱の内部を確認できるように内部が透視される透視部材をさらに含むことを特徴とする。  
【００２１】
また、前記穀物保管箱の前面に形成され、前記透視部材が挿入されて固定される前面開放部と、前記透視部材に形成され、前記透視部材と前記前面開放部との結合部分に形成された結合隙間に穀物が挿入されることを防止するために前記結合隙間を覆うカバーリブと、をさらに含むことを特徴とする。  
【００２２】
また、前記カバーリブは、前記透視部材の後面から後方に延長されている第１カバーリブと、前記第１カバーリブの端部から下方に一定長さだけ延長され、前記透視部材と前記穀物保管箱との結合時、前記結合隙間を覆うように設けられる第２カバーリブとを含むことを特徴とする。  
【００２３】
また、前記前面開放部に形成され、前記透視部材が挿入されて固定される挿入溝と、前記透視部材の下面から下方に突出されて前記挿入溝に挿入される固定リブとをさらに含むことを特徴とする。
【００２４】
また、前記固定リブに設けられ、互いに一定間隔だけ離隔するように設けられる複数個の固定突起と、前記挿入溝の内部に設けられ、前記固定突起が挿入される固定突起とをさらに含むことを特徴とする。  
【００２５】
また、前記前面開放部の内部両側面に形成され、前記透視部材の挿入を案内する案内レールをさらに含むことを特徴とする。  
【００２６】
また、前記穀物保管箱と前記透視部材との結合部分に設けられ、外部湿気の浸透を防止するシーリング部材をさらに含むことを特徴とする。
【発明の効果】
【００２７】
上記のような構成を有する冷蔵庫用穀物保管装置及びこれを含む冷蔵庫によると、穀物の冷蔵保管がより便利に行われることで、使用者の便宜性を高め、穀物の新鮮度維持期間をより増大できるという長所がある。
【図面の簡単な説明】
【００２８】
【図１】本発明の穀物保管装置を装着した冷蔵庫の正面図である。
【図２】本発明の開閉部材の第１実施例を備えた穀物保管装置の分離斜視図である。
【図３】本発明の開閉部材の第２実施例を備えた穀物保管装置の分離斜視図である。
【図４】本発明の開閉部材の第３実施例を示した分離斜視図である。
【図５】本発明の開閉部材の第１実施例の動作を示した側断面図である。
【図６】本発明の開閉部材の第２実施例の動作を示した側断面図である。
【図７】本発明の開閉部材の第３実施例の動作を示した平面図である。
【図８】本発明の開閉部材の第３実施例の動作を示した平面図である。
【図９】本発明の開閉部材の第３実施例の動作を示した平面図である。
【図１０】本発明の収納棚が備わった穀物保管装置の前面斜視図である。
【図１１】本発明の第２収納棚に貯蔵品が収納された状態を示した側断面図である。
【図１２】本発明の第１収納棚に貯蔵品が収納された状態を示した側断面図である。
【図１３】本発明の透視部材を備えた穀物保管装置の前面斜視図である。
【図１４】本発明の透視部材を備えた穀物保管装置の側断面図である。
【図１５】本発明の透視部材を備えた穀物保管装置の平断面図である。
【００２９】
また、穀物を冷蔵保管する場所を提供するとともに、穀物でないその他の貯蔵品の収納空間も追加的に確保することで、冷蔵庫内部の空間活用度も増大できるという長所がある。  
【００３０】
また、穀物を穀物保管箱の内部に入れて保管する場合、穀物保管箱を開放して穀物の状態を確認する必要なしに、穀物保管箱の外部から透視部材を通して肉眼で穀物の量や種類を確認することで、使用者の便宜性を高められるとともに、製品の外観の高級化を図れるという長所がある。
【００３１】
そして、多様な種類の穀物をそれぞれ独立的に保管しながら外部に容易に引き出すことで、使用者の便宜性を高められるという効果がある。  
【００３２】
また、冷蔵庫のドアが閉まったり、冷蔵庫の外部に大きな衝撃が加えられる場合にも、穀物引き出し箱がハウジングの内部に継続的に位置することで、構造的な安定性を図れるようになる。
【発明を実施するための形態】
【００３３】
図１に示すように、本発明の穀物保管装置を装着した冷蔵庫は、その内部に冷蔵室１２及び冷凍室（図示せず）が形成された本体１０と、前記冷蔵室１２及び冷凍室を開閉するために前記本体１０の前面に回動可能に付着されたドア１４，１５とを含んでいる。
【００３４】
前記冷蔵室１２を開閉するドア１４の内面には、穀物を冷蔵保管するための穀物保管装置２０が設けられている。  
【００３５】
前記穀物保管装置２０は、穀物の投入及び引き出しが容易に行われる位置を考慮して前記ドア１４の内面の下部に設けられる。前記穀物保管装置２０は、穀物が投入されて保管される穀物保管箱３０と、前記穀物保管箱３０の下部に結合され、前記穀物保管箱３０の穀物を下部に排出させる穀物取り出し部６０と、前記穀物取り出し部６０の下部に結合され、前記穀物取り出し部６０によって排出される穀物を外部に引き出せる状態で収容する穀物引き出し部３００とを含む。  
【００３６】
前記穀物保管箱３０の上部には収納棚３３が着脱可能に設けられており、前記収納棚３３の前方には、前記穀物保管箱３０の投入口３６（図２を参照）を開閉する開閉部材３１が設けられている。
【００３７】
前記開閉部材３１及び前記収納棚３３には、前記開閉部材３１の開放時、その開放状態を継続的に維持させるための開閉部材固定部３８０（３８１，３８２）が設けられるが、前記開閉部材固定部３８０に対する具体的な説明は、後述することにする。  
【００３８】
図２に示すように、前記穀物保管箱３０の上部に設けられた投入口３６には前記収納棚３３が設けられるが、前記収納棚３３は第１収納棚３４及び第２収納棚３５を含んで構成され、前記収納棚３３の前方には、前記開閉部材３１が投入口３６の前方に回動可能に結合される。  
【００３９】
前記穀物保管箱３０の内部は、複数種類の穀物を投入して保管するために隔壁３７によって区画されている。図２では、前記穀物保管箱３０の内部が２個の空間に区画されている状態を示しているが、より多くの数に区画されることも可能である。  
【００４０】
前記穀物保管箱３０の前面部分には、前記穀物保管箱３０の内部に収容されている穀物の積載量や種類を確認するための透視部材３８が設けられ、この透視部材３８を通して、使用者は、保管されている穀物の種類及び穀物量の過不足を容易に確認することができる。  
【００４１】
前記穀物保管箱３０から吐出された穀物は、前記穀物取り出し部６０の作動によって前記穀物引き出し部３００に落ちて保管されるが、前記穀物取り出し部６０は、前記穀物保管箱３０の前面板４０に設置されている操作ボタン部６２を含み、使用者が前記操作ボタン部６２を押すと、前記穀物保管箱３０に収容された穀物が前記穀物引き出し部３００に落ちるようになる。  
【００４２】
上述したように、前記穀物取り出し部６０の下部に前記穀物引き出し部３００が結合されるが、前記穀物引き出し部３００は、前記穀物が落下して収容される穀物引き出し箱３１０と、前記穀物引き出し箱３１０がスライド移動可能に収容されるハウジング３２０とを含んでいる。  
【００４３】
前記ドア１４内部の側壁１５には突起形態の第１結着部１６が設けられ、前記収納棚３３、前記穀物箱３０、前記穀物取り出し部６０及び前記穀物引き出し部３００の両側面には、前記記第１結着部１６が挿入されて結着される溝形態の第２結着部３０ａ，３３ａ，６０ａ，３００ａが設けられている。
【００４４】
前記開閉部材３１は、前記投入口３６を覆う形状で設けられるプレート部３１ｂと、前記プレート部３１ｂの両側に設けられるヒンジ軸３１ａとを含み、前記投入口３６の両側には、前記ヒンジ軸３１ａが回動可能に挿入される回動溝３６ａが設けられる。
【００４５】
上述したように、前記開閉部材３１の上面及び前記収納棚３３の前面には、前記開閉部材３１が開放された場合、その開放状態を維持させる開閉部材固定部３８０が設けられる。ここで、前記開閉部材固定部３８０は、磁力を有する磁性体で構成され、前記開閉部材３１に設けられた第１磁性体３８１と、前記収納棚３３の前面に位置し、前記第１磁性体３８１に対応する位置に設けられる第２磁性体３８２とを含んで構成される。  
【００４６】
ここで、前記第１及び第２磁性体３８１，３８２は、前記開閉部材３１及び前記収納棚３３の外面に付着されるが、前記開閉部材３１及び前記収納棚３３の内部に収容されることもある。  
【００４７】
図３は、第２実施例を示したもので、第１実施例の開閉部材固定部３８０を除いた他の構成要素は、第１実施例と同一であるので、それに対する説明は省略することにする。
【００４８】
開閉部材固定部３８４は、磁性体でないフック及び溝の形態で設けられるが、これを具体的に見ると、前記開閉部材３１の上面中央部に設けられ、内部に溝が形成された係止部３８５と、前記収納棚３３の前面に設けられ、前記係止部３８５に対応する位置に設けられ、前記係止部３８５に挿入可能な固定フック３８６とを含んでいる。  
【００４９】
図３では、前記係止部３８５及び前記固定フック３８６が前記開閉部材３１及び前記収納棚３３にそれぞれ位置するように示したが、これらの位置を互いに変えることも可能である。
【００５０】
図４は、第３実施例を示したもので、前記穀物保管箱３０の投入口３６の上部には、前記投入口３６をスライド移動可能に開閉する開閉部材４００が設けられる。
【００５１】
前記開閉部材４００は、前記投入口３６の上面に結合される下部カバー４１０と、前記下部カバー４１０の上部に位置してスライド移動する移動プレート４２０と、前記移動プレート４２０の上部に設けられ、前記下部カバー４１０と結合する上部カバー４３０とを含んで構成される。
【００５２】
前記下部カバー４１０の上面には、前記投入口３６と連通される連通口４１１，４１２が設けられる。前記連通口４１１，４１２は、第１連通口４１１と第２連通口４１２に分けられ、前記隔壁３７によって区画されて前記穀物保管箱３０の内部に形成される複数の空間に対応するように、その複数の空間の上部にそれぞれ位置することが好ましい。  
【００５３】
連通口４１１，４１２の前後方には、前記移動プレート４２０の移動を案内する案内レール４１３が設けられ、前記案内レール４１３は、前記下部カバー４１０の左右長さ方向に延長される。
【００５４】
前記案内レール４１３の案内を受けて移動する前記移動プレート４２０の上部には、使用者が容易に把持し、前記移動プレート４２０の移動を円滑に行うための操作ノブ４２１が設けられる。  
【００５５】
前記案内レール４１３の上部に設けられる前記上部カバー４３０には、前記操作ノブ４３１の移動幅を制限し、結果的に前記移動プレート４２０の移動幅を制限する貫通孔４３１が設けられるが、前記貫通孔４３１は、前記第１及び第２連通口４１１，４１２及び前記投入口３６と連通されるように前記上部カバー４３０の中央部に設けられることが好ましい。  
【００５６】
上記のような構成によると、前記操作ノブ４２１が前記貫通孔４３１を通過して上部に突出され、使用者がその突出部を把持して左右にスライドさせることで、前記貫通孔４３１、前記連通口４１１，４１２及び前記投入口３６を連通させた後、穀物を投入し、穀物投入が完了されると、再び操作ノブ４２１を動かすことで、前記移動プレート４２０が前記連通口４１１，４１２及び前記投入口３６を閉鎖するようになる。  
【００５７】
前記開閉部材固定部の実質的な役割は前記移動プレート４２０が行い、前記移動プレート４２０の位置固定役割は、前記下部カバー４１０及び前記上部カバー４３０が行うと見ることができる。
【００５８】
以下、添付された図面に基づいて本発明による開閉部材の動作に対して説明する。
【００５９】
図５に示すように、使用者が穀物Ｇを前記穀物保管箱３０に投入しようとする場合、使用者は、前記開閉部材３１を上方に上げればよい。
【００６０】
そうすると、前記開閉部材３１に設けられた第１磁性体３８１と前記収納棚３３の前面に設けられた前記第２磁性体３８２が磁力によって互いに付着され、このような作用によって、穀物投入中に前記開閉部材３１が前方に回動して下がることを防止することができる。  
【００６１】
そして、穀物の投入が完了されると、使用者は、再び前記開閉部材３１を把持して前方に下げると、使用者の力によって前記第１及び第２磁性体３８１，３８２の間の付着状態が解除され、前記開閉部材３１が前記投入口３６を閉鎖するようになる。  
【００６２】
一方、図６に示すように、使用者が前記開閉部材３１の前端部を持ち上げて回動させた後、前記開閉部材３１を後方に押すと、前記収納棚３３の前方に設けられた固定フック３８６が前記係止部３８５に挿入される。
【００６３】
したがって、このような前記固定フック３８６と前記係止部３８５との間に発生する係止作用によって、前記開閉部材３１の開放状態が持続的に維持される。  
【００６４】
図７乃至図９は、スライド動作をする開閉部材の動作を示したもので、図７は、前記移動プレート４２０が前記第１及び第２連通口４１１，４１２を閉鎖している状態を示している。
【００６５】
ここで、前記移動プレート４２０が前記第１及び第２連通口４１１，４１２を閉鎖すると、当然に前記投入口３６（図４を参照）を塞ぐようになるので、前記穀物保管箱３０（図４を参照）の内部と外部との連通が遮断される。  
【００６６】
図８に示すように、使用者が前記操作ノブ４２１を把持して前記移動プレート４２０を右側にスライド移動させると、前記第２連通口４１２が開放されながら前記投入口３６（図４を参照）が自然に開放され、このとき、使用者が前記投入口３６の方向に穀物を投入するとよい。
【００６７】
図９は、第１連通口４１１が開放された状態を示したもので、このとき、使用者が前記操作ノブ４２１を把持して前記移動プレート４２０を左側にスライド移動させ、その状態で穀物を前記第１連通口４１１及び前記投入口３６の方向に投入するとよい。  
【００６８】
このとき、図８及び図９に示した前記移動プレート４２０においては、前記上部カバー４３０と下部カバー４１０（図４を参照）との間に一定の摩擦力が作用するので、前記移動プレート４２０が開放されると、使用者が動く前まではその開放状態が持続的に維持されるようになる。
【００６９】
図１０に示すように、本発明による収納棚３３は、上述したように、第１収納棚３４及び第２収納棚３５を含んで構成される。
【００７０】
前記第１収納棚３４は、前記投入口３６の後方に挿入される方式で前記穀物保管箱３０の上部に設置される。前記第１収納棚３４の内部には、貯蔵品を収納可能な所定高さの第１収納空間３４ａが形成され、前記第１収納棚３４の枠には第１係止リブ３４ｂが設けられるが、前記係止リブ３４ｂが前記投入口３６の枠部に係止されることで、前記第１収納棚３４が前記投入口３６に固定された状態で設置される。また、使用者が前記第１収納棚３４を持ち上げるとき、前記第１係止リブ３４ｂに指をかけて持ち上げられるので、前記第１収納棚３４は取っ手の役割もする。  
【００７１】
前記第１収納棚３４の上側には前記第２収納棚３５が設置されるが、前記第２収納棚３５にも、その内部に貯蔵品を収納可能な第２収納空間３５ａが形成され、上部枠には取っ手の役割をする第２係止リブ３５ｂが設けられる。  
【００７２】
そして、前記第２収納棚３５の下部には段差３５ｃが形成されるが、前記段差３５ｃは、前記第２収納棚３５下部の前後幅Ｗ１及び左右幅Ｗ２が上部の前後幅Ｗ３及び左右幅Ｗ４より狭くなるように形成される。  
【００７３】
前記段差３５ｃを形成した理由は、前記第２収納棚３５の下部が前記第１収納棚３４に挿入された後、その固定状態を安定的に維持させるためである。
【００７４】
したがって、前記段差３５ｃが形成された前記第２収納棚３５の外側下部の前後幅Ｗ１及び左右幅Ｗ２は、前記第１収納棚３４の収容空間３４ａの内側の前後幅Ｗ５及び左右幅Ｗ６に対応することが好ましい。
【００７５】
前記第２収納棚３５は、前記第１収納棚３４より比較的高く形成されることが好ましく、これは、多様な高さの貯蔵品を収納可能にするためである。
【００７６】
前記第１収納棚３４の下部にシーリング部材３９が設けられるが、前記シーリング部材３９は、前記投入口３６の枠と前記第１収納棚３４の下部との間に発生するギャップを埋めることで、前記穀物保管装置２０の外部から流入する湿気などを遮断する役割をする。
【００７７】
前記穀物保管箱３０の内部は、複数種類の穀物を投入して保管するために隔壁３７によって区画されている。図１０では、前記穀物保管箱３０の内部が２個の空間に区画されている状態を示しているが、より多くの数に区画されることも可能である。  
【００７８】
ここで、前記隔壁３７は、前方の高さより後方の高さが低く形成されるが、前記隔壁３７の後方の上部に前記第１収納棚３４が設置されるので、前記第１収納棚３４が挿入された深さだけ前記隔壁３７の後方部分が前方部分より低くなる。
【００７９】
穀物の種類または穀物量の過不足の肉眼測定は、前記第１及び第２収納棚３４，３５が透明な材質で形成された場合にも可能である。このとき、第１及び第２収納棚３４，３５は、透明でありながら一定の強度を有するアクリル樹脂などの材質で構成されることが好ましいが、アクリル樹脂の他にも、透明で一定の強度を有する材料であれば、前記第１及び第２収納棚３４，３５の構成材料として可能である。
【００８０】
以下、本発明による穀物保管装置に貯蔵品が収納された状態を説明する。  
【００８１】
図１１に示すように、前記穀物保管箱３０内部に穀物Ｇが収容されており、前記投入口３６の前方には前記開閉部材３１が設けられており、前記投入口３６の後方には、前記第１収納棚３４及び前記第１収納棚３４上に積載されている第２収納棚３５が位置する。  
【００８２】
前記第１収納棚３４の第１係止リブ３４ｂは、前記投入口３６の枠部に定着され、前記第２収納棚３５に形成された前記段差３５ｃは、前記第１収納棚３４の前記第１係止リブ３４ｂの上部に定着される。  
【００８３】
このような状態で一定高さの貯蔵品Ｓを前記第２収納棚３５の第２収納空間３５ａに入れると、前記第２収納棚３５の内部に貯蔵品Ｓが安定的な状態で貯蔵される。
【００８４】
そして、前記第１係止リブ３４ｂと前記投入口３６の枠上部との間に前記シーリング部材３９が設けられることで、その部分に湿気が流入することが防止される。  
【００８５】
また、このようなシーリング部材は、前記開閉部材３１の下部と前記投入口３６の枠上部との間に設けられることも可能である。  
【００８６】
図１２は、前記穀物保管箱３０の上部に前記第１収納棚３４のみが設置された場合、貯蔵品Ｓ'が貯蔵された状態を示しているが、このようにすると、第２収納棚３５の紛失や破損などによって第２収納棚３５が使用不可能になる場合にも、第１収納棚３４の第１貯蔵空間３４ａの内部に貯蔵品Ｓ'を保管することができる。  
【００８７】
図１２に示すように、前記穀物保管箱３０の前方には、前記穀物保管箱３０の内部に収容される穀物の量や種類を肉眼で確認するためのウィンドウ形態の透視部材３８が設けられるが、ここで、前記透視部材３８は、透明な材質や半透明材質で設けられることが好ましい。  
【００８８】
以下、前記穀物保管箱３０と前記透視部材３８との結合関係を説明する。  
【００８９】
前記穀物保管箱３０の前面上部には、前記透視部材３８が結合される位置である前面開放部４００が設けられ、前記前面開放部４００の下部には、前記透視部材３８の一部が挿入される挿入溝４０２が設けられる。  
【００９０】
また、前記穀物保管箱３０の内側壁前方には、前記透視部材３８の両側面が挿入されることを案内し、その部分を支持する案内レール４０４が設けられている。  
【００９１】
前記透視部材３８の下部には、下方に延長されて前記挿入溝４０２に挿入される固定リブ４５０と、前記固定リブ４５０の後方に一定距離だけ離れた状態で設けられ、前記透視部材３８と前記前面開放部４００との結合部分に形成される結合隙間を塞ぐカバーリブ４５２が設けられる。  
【００９２】
そして、前記固定リブ４５０には、前記前面開放部４００と前記透視部材３８との間の結合部分に外部の湿気が流入することを防止するためのシーリング部材４６０が挟め込まれる。  
【００９３】
一方、前記透視部材３８の両側面には、前記案内レール４０４に嵌め込まれるように後面に向かって折り曲げられた折り曲げ部４５４が形成され、前記前面開放部４００の両側枠部より前方に突出しないように段差４５６が形成されている。
【００９４】
図１４に示すように、前記透視部材３８の固定リブ４５０は、下方に一定長さだけ延長されており、前記固定リブ４５０の後方には固定突起４５０ａが設けられる。
【００９５】
そして、前記カバーリブ４５２は、前記透視部材３８の下端から後方に延長される第１カバーリブ４５３と、前記第１カバーリブ４５３の端部から下方に延長される第２カバーリブ４５４とを含んで構成される。
【００９６】
そして、前記シーリング部材４６０は、前記前面開放部４００の枠部分と前記透視部材３８の下面との間に設けられる。
【００９７】
前記挿入溝４０２の内部には、前記固定突起４５０ａが挿入されて係止される固定溝４０２ａが設けられる。
【００９８】
したがって、前記透視部材３８を前記穀物保管箱３０に結合する場合、まず、前記シーリング部材４６０を前記固定リブ４５０に挿入させた後、前記固定リブ４５０を前記挿入溝４０２の内部に挿入させると、前記固定リブ４５０が前記挿入溝４０２の内部に入るようになり、このとき、前記固定突起４５０ａが前記固定溝４０２ａに挟め込まれる。
【００９９】
上記のような組み立て工程によると、前記カバーリブ４５２は、自動的に前記透視部材３８と前記穀物保管箱３０との結合部分に形成された隙間のうち前記穀物保管箱３０の内部に形成される隙間を遮るようになり、このような前記カバーリブ４５２の遮り作用によって、粟のように直径の小さい穀物がその隙間に入って挟まる現象を防止することができる。
【０１００】
図１５に示すように、前記透視部材３８の両側面に設けられた折り曲げ部４５４は、前記案内レール４０４に挿入されて固定される。また、前記透視部材３８の折り曲げ部４５４の横に前記段差４５６が形成され、前記段差４５６が前記前面開放部４００の両側と噛み合うようになり、前記穀物保管箱３０の前面と前記透視部材３８の前面が水平状態を維持するようになる。
【０１０１】
このように前記透視部材３８の両側面を固定する案内レール４０４によって、前記透視部材３８の前後移動が防止される。
【符号の説明】
【０１０２】
１０  本体
１２  冷蔵室
１４，１５  ドア
２０  穀物保管装置
３０  穀物保管箱
３１  開閉部材
３３  収納棚
６０  穀物取り出し部
３００  穀物引き出し部
３８０  開閉部材固定部
【図１】
2010500530.tif 000003
【図２】
2010500530.tif 000004
【図３】
2010500530.tif 000005
【図４】
2010500530.tif 000006
【図５】
2010500530.tif 000007
【図６】
2010500530.tif 000008
【図７】
2010500530.tif 000009
【図８】
2010500530.tif 000010
【図９】
2010500530.tif 000011
【図１０】
2010500530.tif 000012
【図１１】
2010500530.tif 000013
【図１２】
2010500530.tif 000014
【図１３】
2010500530.tif 000015
【図１４】
2010500530.tif 000016
【図１５】
2010500530.tif 000017
【国際調査報告】
2010500530.tif 000018
2010500530.tif 000019